(57)【要約】【課題】ペットを亡くした方が明るいペット写真を内蔵した仏壇を使用してメモリアル感覚でペットを祭れるペット用ミニ仏壇を提供する。【解決手段】外観部は筺体２と台座部３にて構成され、該筺体２には開閉可能な扉４a、４ｂを有し、該扉４a、４ｂを開口すると前飾り板７が配置されており、該前飾り板７に当接された保護用ガラス２０を介して透明艶消しフィルム１９にプリントされたペットの写真画像並びに文字が照明ボックス１８によりバックライトで照明され明るく照らし出される。【選択図】図２
0003113885.tif 000002
【実用新案登録請求の範囲】
【請求項１】
外観部は筺体と台座部にて構成され、該筺体には開閉可能な扉を有し、該扉を開口すると前飾り板が配置されており、該前飾り板に当接された保護用ガラスを介して透明艶消しフィルムにプリントされたペットの写真画像並びに文字がバックライトで照明され明るく照らし出されることを特徴とするペット用ミニ仏壇。
【請求項２】
前記外観部を構成する筺体と台座部のサイズは手のひらサイズで場所を取らずにどこにでも置けることを特徴とする請求項１記載のペット用ミニ仏壇。
【請求項３】
前記外観部が構成する筺体と台座部の手のひらサイズとは高さ１４１ｍｍ、幅８６ｍｍ、奥行き５４ｍｍ程度であることを特徴とする請求項２記載のペット用ミニ仏壇。
【請求項４】
前記筺体の台座部に引出を設け、該引出にペットの遺品を納めるよう構成したことを特徴とする請求項１乃至請求項３の何れかに記載されたペット用ミニ仏壇。
【請求項５】
前記ペットの写真画像並びに文字を照らし出すバックライトの電源は乾電池、或いは家庭用電源の１００Ｖを変圧したものを使用し、前記バックライトの電源はスイッチを介して必要に応じＯＮ、ＯＦＦ可能に配置したことを特徴とする請求項１記載のペット用ミニ仏壇。
【請求項６】
前記前飾り板のフレームはペット写真、ペットの名前、メッセージスペースに分かれていることを特徴とする請求項１記載のペット用ミニ仏壇。
【考案の詳細な説明】
【技術分野】
【０００１】
本考案はペット用ミニ仏壇に関するものであり、特にペットを亡くした方が明るいペット写真を内蔵した仏壇を使用してメモリアル感覚でペットを祭れるペット用ミニ仏壇を提供するものである。
【背景技術】
【０００２】
ペット用仏壇に関する従来発明として、特許文献１（特開２０００−５０４０号公報）が開示されている。
而して、開示された特許文献１のペット用仏壇は、矩形の箱形状の本体と観音開きの左右一対の箱状の扉二枚を有し、左右の扉の仕切板には、花立てをいれ又は供物台の位置を決めるための貫通孔が形成されており、本体の背面板にはペットの写真立て構造を有し、該ペット用仏壇は黒の漆塗りで、その大きさも左右の扉を閉じた状態で正面から見たときＡ４版の紙の大きさとほぼ同じという本格的な優れものである。
【０００３】
しかしながら、特許文献１のペット用仏壇は矩形の箱形状の本体背面板にペットの写真立てを配置していることから、写真が暗くてはっきりと見えない欠点があった。また、ペット用仏壇は本格的なものであれば、あるほどペットを擬人化してしまう傾向があるので、サイズを小さく最小限のものとし、明るい雰囲気を醸し出すメモリアル感覚な仏壇が要望されてきている。
【特許文献１】特開２０００−５０４０号公報
【考案の開示】
【考案が解決しようとする課題】
【０００４】
本考案は、上述の点に鑑みてなされたものであり、ペットの写真を必要に応じてバックライトで明るく浮かび上がらせる機構を持ったペット用ミニ仏壇を提供するものである。
【０００５】
また、本考案の要旨は、ペットを亡くした方が、ペットを祭る際に、ペットを擬人化するのではなく、明るい雰囲気を醸し出すメモリアル感覚の仏壇を提供するものである。
【課題を解決するための手段】
【０００６】
本考案において、外観部は筺体と台座部にて構成され、該筺体には開閉可能な扉を有し、該扉を開口すると前飾り板が配置されており、該前飾り板に当接された保護用ガラスを介して透明艶消しフィルムにプリントされたペットの写真画像並びに文字がバックライトで照明され明るく照らし出されることを要旨とする。
【０００７】
また、本考案は、前記外観部を構成する筺体と台座部のサイズは手のひらサイズで場所を取らずにどこにでも置けることを要旨とする。
【０００８】
また、本考案において、前記外観部が構成する筺体と台座部の手のひらサイズとは、高さ１４１ｍｍ、幅８６ｍｍ、奥行き５４ｍｍ程度であることを要旨とする。
【０００９】
また、本考案は、前記筺体の台座部に引出を設け、該引出にペットの遺品を納めるよう構成したことを要旨とする。
【００１０】
また、本考案において、前記ペットの写真画像並びに文字を照らし出すバックライトの電源は、乾電池、或いは家庭用電源の１００Ｖを変圧したものを使用し、前記バックライトの電源はスイッチを介して必要に応じＯＮ、ＯＦＦ可能に配置したことを要旨とする。
【００１１】
更にまた、本考案において、前記前飾り板のフレームは、ペット写真、ペットの名前、メッセージスペースに分かれていることを要旨とする。
【考案の効果】
【００１２】
斯くして、本考案のペット用ミニ仏壇は、外観部は筺体と台座部にて構成され、該筺体には開閉可能な扉を有し、該扉を開口すると前飾り板が配置されており、該前飾り板に当接された保護用ガラスを介して透明艶消しフィルムにプリントされたペットの写真画像、並びに文字がバックライトで照明され明るく照らし出される構成となし、ペットの写真を必要に応じてバックライトで明るく浮かび上がらせる機構を持ったペット用ミニ仏壇を提供することができた。
【００１３】
また、本考案において、外観部を構成する筺体と台座部のサイズは、手のひらサイズで場所を取らずにどこにでも置けるものであり、該外観部を手のひらサイズに設定したことが、ペット用仏壇にメモリアル感覚の雰囲気を醸し出す要因をつくり、新しいペット用仏壇を提供することができた。
【００１４】
また、本考案は、筺体の台座位置に引出を設け、該引出にペットの大切な遺品を納めることが可能で、大変思いやりのあるペット用ミニ仏壇を提供することができた。
【００１５】
更にまた、本考案においては、前飾り板のフレームはペット写真、ペットの名前、メッセージスペースに分かれていて、よりメモリアル感覚のペット用仏壇を提供することができた。
【考案を実施するための最良の形態】
【００１６】
而して、本考案は、外観部は筺体と台座部にて構成され、該筺体には開閉可能な扉を有し、該扉を開口すると前飾り板が配置されており、該前飾り板に当接された保護用ガラスを介して透明艶消しフィルムにプリントされたペットの写真画像並びに文字がバックライトで照明され明るく照らし出される構成とすることが好ましい。
【００１７】
また、本考案において、外観部を構成する筺体と台座部のサイズは、手のひらサイズで場所を取らずにどこにでも置ける構成とすることが好ましい。
【００１８】
また、本考案において、外観部が構成する筺体と台座部の手のひらサイズとは、高さ１４１ｍｍ、幅８６ｍｍ、奥行き５４ｍｍ程度に構成することが好ましい。
【００１９】
また、本考案は、筺体の台座部に引出を設け、該引出にペットの遺品を納めるよう構成することが好ましい。
【００２０】
また、本考案において、ペットの写真画像、並びに文字を照らし出すバックライトの電源は、乾電池、或いは家庭用電源の１００Ｖを変圧したものを使用し、前記バックライトの電源はスイッチを介して必要に応じＯＮ、ＯＦＦ可能に構成することが好ましい。
【００２１】
更にまた、本校案において、前飾り板のフレームは、ペット写真、ペットの名前、メッセージスペースに分かれているよう構成することが好ましい。
【実施例１】
【００２２】
図１乃至図３は、本考案の実施例を示すものであり、図１は、本考案のペット用ミニ仏壇の扉を開いた状態を示す説明図、図２は本考案のペット用ミニ仏壇の組み立て図、図３は本考案の写真画像照明部分を示す分解説明図である。
【００２３】
図１乃至図３において、１はペット用ミニ仏壇であり、該ペット用ミニ仏壇１の板材は古代杉等の木材で作られており、外観形状の特徴は、筺体２と台座部３が一体化して構成されていることである。
【００２４】
４a、４ｂは、筺体２の前面に設けられた扉、５は天端板、６a、６ｂは側面板、７は前飾り板、８は前飾り板７のフレームにて縁取りされたペットの写真画像、９a、９ｂは同じく前飾り板７のフレームにより縁取りされた文字情報で、例えば、９aはペットの名前、９ｂはメッセージである。
【００２５】
また、前記台座部３には、引出１０が付いており、該引出１０には、ペットの大切な遺品を納めることができる。
【００２６】
而して、本考案のペット用ミニ仏壇１の大きさは、前記外観部を構成する筺体２と台座部３を合わせた形状で、手のひらサイズの大きさで、場所を取らずに、どこにでも置けることを特徴としており、具体的には、高さ１４１ｍｍ、幅８６ｍｍ、奥行き５４ｍｍ程度のサイズを持つペット用ミニ仏壇である。
【００２７】
次に、本考案の形状、構成を図２の組み立て図により詳説する。
図２において、前記筺体２を構成する天端板５には、側面板６a、６ｂが門型１１に組み立てられており、該門型１１の天井板１２が嵌着され、座板１３を介して上飾り板１４が取付られる。また、前記、門型１１に組立られた天端板５と側面板６a、６ｂは、筺体２の底板１５に止めビス１６a、１６ｂ、１６ｃ、１６ｄにて取付られ、該筺体２の前面には、回転軸等から成るヒンジ等で開閉可能に扉４a、４ｂが設けられている。
【００２８】
斯くして、前記筺体２内部には、裏面より、背板１７、照明ボックス１８、フィルム１９にプリントしたペットの写真、保護用ガラス２０、そして前飾り板７が前記照明ボックス１８、フィルム１９，保護用ガラス２０に互いに当接して配置され、該前飾り板７は、前記座板１３と下部座板２１を介して開口部２２が前面に配置されている。
【００２９】
そして、前記筺体２は、底板１５を介して大の止めネジ２３a、２３ｂにより、台座部３に一体化されており、該台座部３の後方には、電池ケース２４が設置されており、該電池ケース２４に挿着される乾電池２５はスイッチ２６を介して前記照明ボックス１８の電源となっている。
【００３０】
また、前記台座部３の前面には開口２７が設けられており、該開口２７には、引出１０が装着可能である。
尚、２８は、台座部３の底面２９に貼着されるゴムシートであり、滑り止めと緩衝材の役割を果たしており、また、３０は前記電池ケース２４等の裏面カバーとなっている。
【００３１】
而して、図３は、前記背板１７、照明ボックス１８、フィルム１９にプリントしたペットの写真、保護用ガラス２０、そして前飾り板７部分を拡大したものであり、本考案においては、外観部は筺体２と台座部３にて構成され、該筺体２には開閉可能な扉４a、４ｂを有し、該扉４a、４ｂを開口すると前飾り板７が配置されており、該前飾り板７に当接された保護用ガラス２０を介して透明艶消しフィルム１９にプリントされたペットの写真画像８、並びに前飾り板７のフレームにより縁取りされた文字情報で、例えば、ペットの名前９a、メッセージ文字９ｂが照明ボックス１８からのバックライトで照明され明るく照らし出される。
【００３２】
また、本考案のペット用ミニ仏壇は、充分に本格的な仏壇ではあるが、手のひらサイズで、ペットの写真を明るく浮かび上がらせる構成、並びにペットの名前、メッセージをを入れることで、ペットを擬人化して祭るのだはなく、明るい雰囲気を醸し出すメモリアル感覚の手軽なペット用仏壇を提供するものである。  
【産業上の利用可能性】
【００３３】
斯くして、本考案は、ペットの写真を必要に応じてバックライトで明るく浮かび上がらせる機構を持ったペット用ミニ仏壇を提供するものであり、また、本考案は、ペットを亡くした方が、ペットを祭る際に、ペットを擬人化するのではなく、明るい雰囲気を醸し出すメモリアル感覚の手軽な仏壇を提供するもので、その産業上の利用の可能性は頗る大きい。
【図面の簡単な説明】
【００３４】
【図１】本考案のペット用ミニ仏壇の扉を開いた状態を示す説明図である。
【図２】本考案のペット用ミニ仏壇の組み立て図である。
【図３】本考案写真画像照明部分を示す分解説明図である。
【符号の説明】
【００３５】
１  ペット用ミニ仏壇
２  筺体
３  台座部
４a、４ｂ  扉
５  天端板
６a、６ｂ  側面板
７  前飾り板
８  ペットの写真画像
９a  ペットの名前
９ｂ  メッセージ
１０  引出
１１  門型
１２  天井板
１３  座板
１４  上飾り板
１５  底板
１６a、１６ｂ、１６ｃ、１６ｄ  止めビス
１７  背板
１８  照明ボックス
１９  フィルム
２０  保護用ガラス
２１  下部座板
２２  開口部
２３a、２３ｂ  大の止めネジ
２４  電池ケース
２５  乾電池
２６  スイッチ
２７  開口
２８  ゴムシート
２９  底面
３０  裏面カバー
【図１】
0003113885.tif 000003
【図２】
0003113885.tif 000004
【図３】
0003113885.tif 000005